(57)【要約】【課題】低背で広帯域なダイバーシティアンテナを提供する。【解決手段】第１の誘電体１１と、この第１の誘電体１１の上面に配された、縮退分離素子ｓを有するマイクロストリップ型の第１の放射導体１２より構成される第１のアンテナ素子１と、第１のアンテナ素子１と同一形状で、第１のアンテナ素子１を９０°回転させた向きに、間隔を隔てて配された第２のアンテナ素子２とを具備するダイバーシティアンテナである。第２のアンテナ素子２を、第１のアンテナ素子１と同形状で、第１のアンテナ素子１を９０°回転させた向きに配しているので、各周波帯における偏波面が各アンテナ素子で直交し、各周波帯における偏波面の偏りを防ぐことができて、縮退分離素子ｓの大きさを調整することで周波帯域が調整できるので、第１の周波帯と第２の周波帯が合成されて形成される周波帯であらゆる偏波面を有する広帯域な電波を送受信することができる。【選択図】  図２
2004180034.tif 000002
【特許請求の範囲】
【請求項１】
第１の周波帯の偏波面と第２の周波帯の偏波面とが直交しており、前記第１の周波帯の高域側と前記第２の周波帯の低域側とが重なっているアンテナ素子を２つ、前記第１の周波帯の偏波面同士および前記第２の周波帯の偏波面同士を直交させて、所定の間隔を隔てて配置したことを特徴とするダイバーシティアンテナ。
【請求項２】
誘電体から成る基体の上面に配された、縮退分離素子を有するマイクロストリップ型の第１の放射導体より構成される第１のアンテナ素子と、該第１の放射導体と略同一形状の第２の放射導体を平面内で９０°回転させ、前記第１のアンテナ素子と所定の間隔を隔てて配された第２のアンテナ素子とを具備することを特徴とするダイバーシティアンテナ。
【発明の詳細な説明】
【０００１】
【発明の属する技術分野】
本発明は、例えば携帯電話や無線ＬＡＮ等の無線通信機器、その他の各種通信機器等において使用されるダイバーシティアンテナに関するものである。
【０００２】
【従来の技術】
例えば携帯電話や無線ＬＡＮ等の無線通信機器、その他の各種通信機器等において使用される、従来のダイバーシティアンテナとしてパッチアンテナや板状逆Ｆアンテナを用いたものが知られている（例えば、特許文献１、特許文献２を参照）。その構造の一例を、図８に斜視図で示す。図８において、１０１は、第１の誘電体１１１と、第１の誘電体１１１の上面に配されたマイクロストリップ型で直線偏波構造の第１の放射導体１１２より構成される第１のアンテナ素子、１０２は、第１のアンテナ素子１０１と同一形状で、第１のアンテナ素子１０１と同じ向きに配された第２のアンテナ素子、１３１は第１および第２のアンテナ素子１０１・１０２を実装するプリント回路基板である。
【０００３】
この従来のダイバーシティアンテナでは、ほぼ同一特性のアンテナを、間隔を隔てて２個配置することで、空間ダイバーシティの効果を得ることができる。
【０００４】
【特許文献１】
特開２０００−１１４８４８号公報
【特許文献２】
特開２００１−１１９２３８号公報
【０００５】
【発明が解決しようとする課題】
しかしながら、このような従来のダイバーシティアンテナにおいては、周波数帯域幅を広げるためには第１および第２の誘電体１１１・１２１の厚みを厚くする必要があり、広帯域化と低背化の両立が困難であるという問題点があった。
【０００６】
本発明は上記問題点に鑑みて案出されたものであり、その目的は、低背で広帯域なダイバーシティアンテナを提供することにある。
【０００７】
【課題を解決するための手段】
本発明の第１のダイバーシティアンテナは、第１の周波帯の偏波面と第２の周波帯の偏波面とが直交しており、第１の周波帯の高域側と第２の周波帯の低域側とが重なっているアンテナ素子を２つ、その第１の周波帯の偏波面同士および第２の周波帯の偏波面同士を直交させて、所定の間隔を隔てて配置したことを特徴とするものである。
【０００８】
本発明の第１のダイバーシティアンテナによれば、第１の周波帯と第２の周波帯を有するアンテナ素子を用いるので、第１の周波帯と第２の周波帯の周波数間隔を調整することで、第１の周波帯と第２の周波帯が合成されて形成される周波帯の帯域幅を変えることができて広帯域な周波数特性を得ることができる。
【０００９】
また、本発明の第１のダイバーシティアンテナによれば、第１の周波帯の偏波面と第２の周波帯の偏波面とが直交している２つのアンテナ素子を、第１の周波帯の偏波面同士および第２の周波帯の偏波面同士を直交させて配置するので、第１の周波帯と第２の周波帯が合成されて形成される周波帯における偏波面の偏りを防ぐことができ、この合成されて形成される周波帯における第１の周波帯と第２の周波帯のおのおのの偏波面の間にあるあらゆる偏波面を有する電波を送受信することができる。
【００１０】
本発明の第２のダイバーシティアンテナは、誘電体から成る基体の上面に配された、縮退分離素子を有するマイクロストリップ型の第１の放射導体より構成される第１のアンテナ素子と、この第１の放射導体と略同一形状の第２の放射導体を平面内で９０°回転させ、第１のアンテナ素子と所定の間隔を隔てて配された第２のアンテナ素子とを具備することを特徴とするものである。
【００１１】
本発明の第２のダイバーシティアンテナによれば、第１および第２の放射導体を、縮退分離素子を有するマイクロストリップ型の構造としているので、縮退分離素子によって互いに直交する、第１の周波帯と第２の周波帯の電界モードが生じる。その縮退分離素子の大きさを調整することで第１の周波帯と第２の周波帯の周波数間隔が調整され、結果として第１の周波帯と第２の周波帯が合成されて形成される周波帯の帯域幅が広帯域な周波数特性のアンテナを得ることができる。
【００１２】
また、本発明の第２のダイバーシティアンテナによれば、第２の放射導体を、第１の放射導体と略同一形状で、第１の放射導体と平面内で９０°回転させた向きに配しているので、第１および第２のアンテナ素子で第１の周波帯同士・第２の周波帯同士における偏波面が直交する。したがって、第１の周波帯と第２の周波帯が合成されて形成される周波帯における偏波面の偏りを防ぐことができ、結果としてこの合成されて形成される周波帯で第１の周波帯と第２の周波帯のおのおのの偏波面の間にあるあらゆる偏波面を有する電波を送受信することができる。
【００１３】
【発明の実施の形態】
以下、本発明のダイバーシティアンテナを図面を参照しつつ説明する。
【００１４】
図１は本発明の第１のダイバーシティアンテナの実施の形態の一例を示す斜視図である。図１において、１・２は第１および第２のアンテナ素子であり、所定の間隔、たとえば第１の周波帯の下限周波数の信号の波長の略１／４以上略１／２以下の間隔を隔てて配されている。１２Ｌ・２２Ｌは第１の周波帯の放射または受信に寄与する部分、１４Ｌ・２４Ｌは第１の周波帯の放射または受信に寄与する部分１２Ｌ・２２Ｌと電気的に接続し第１の周波帯の放射または受信に寄与する部分１２Ｌ・２２Ｌに給電を行うための給電電極、１２Ｈ・２２Ｈは第２の周波帯の放射または受信に寄与する部分、１４Ｈ・２４Ｈは第２の周波帯の放射または受信に寄与する部分１２Ｈ・２２Ｈと電気的に接続し第２の周波帯の放射または受信に寄与する部分１２Ｈ・２２Ｈに給電を行うための給電電極、１５・２５は第１の周波帯の放射または受信に寄与する部分１２Ｌ・２２Ｌおよび第２の周波帯の放射または受信に寄与する部分１２Ｈ・２２Ｈ双方の端部と電気的に接続する接地電極である。３１は第１および第２のアンテナ素子１・２を実装するプリント回路基板であり、給電電極１４Ｌ・１４Ｈ・２４Ｌ・２４Ｈおよび接地電極１５・２５の一端はそれぞれプリント回路基板の信号線路（図示せず）およびグランド電極（図示せず）に電気的に接続される。
【００１５】
ここで第１の周波帯の高域側と第２の周波帯の低域側とは重なっていることから、この二つの周波帯が合成されて形成される第１の周波帯と第２の周波帯で挟まれる周波帯を含めた周波帯の部分で本発明のダイバーシティアンテナは感度を持つこととなる。すなわち、第１の周波帯または第２の周波帯に加えて、その間の周波帯にも感度を持つアンテナとして動作させることができる。
【００１６】
図１のように構成された本発明の第１のダイバーシティアンテナによれば、第１の周波帯の放射または受信に寄与する部分１２Ｌ・２２Ｌと第２の周波帯の放射または受信に寄与する部分１２Ｈ・２２Ｈを有するアンテナ素子を用いるので、たとえば第１の周波帯の放射または受信に寄与する部分１２Ｌ・２２Ｌの長さを長くし、第２の周波帯の放射または受信に寄与する部分１２Ｈ・２２Ｈの長さを短くすると、第１の周波帯は低周波側に遷移し、第２の周波帯は高周波側に遷移するので、第１の周波帯の高域側と第２の周波帯の低域側が重なった状態で第１の周波帯と第２の周波帯のそれぞれの周波帯の周波数間隔を広く調整することができて、広帯域な周波数特性を得ることができる。
【００１７】
また、図１のように構成された本発明の第１のダイバーシティアンテナによれば、第１および第２のアンテナ素子１・２それぞれの第１の周波帯および第２の周波帯の放射または受信に寄与する部分同士、すなわち１２Ｌと２２Ｌおよび１２Ｈと２２Ｈを直交させて配置するので、第１の周波帯および第２の周波帯の双方において偏波面によらず電波を放射または受信することができる。
【００１８】
第１の周波帯の偏波面と第２の周波帯の偏波面の間における偏波に対しては、放射または受信される電波の偏波面は第１および第２の周波帯における電界モードの重ね合わせによって生成されるものとなり、第１の周波帯の偏波面と第２の周波帯の偏波面の間における偏波に対しても、偏波面によらず電波を放射または受信することができる。
【００１９】
従って、第１の周波帯と第２の周波帯とが合成されて形成される周波帯における偏波面の偏りを防ぐことができ、この合成されて形成される周波帯で第１の周波帯と第２の周波帯のおのおのの偏波面の間にあるあらゆる偏波面を有する電波を送受信することができる。
【００２０】
図２は本発明の第２のダイバーシティアンテナの実施の形態の一例を示す斜視図および上面図である。図２において、１は第１のアンテナ素子であり、２は第１のアンテナ素子１と略同一形状で、第１のアンテナ素子１を平面内で９０°回転させた向きに、所定の間隔、たとえば第１の周波帯の下限周波数の信号の波長の略１／４以上略１／２以下の間隔を隔てて配された第２のアンテナ素子である。第１のアンテナ素子１と第２のアンテナ素子２は平行な面内で９０°回転させた向きの位置関係にあればよく、必ずしも同一平面上になくてもよい。１１および２１はそれぞれ第１のアンテナ素子１と第２のアンテナ素子２を構成する誘電体、１２と２２は誘電体１１・２１の上面に構成されたマイクロストリップ型の放射導体、ｓは縮退分離素子であり、対向する２角を切り欠いたり、小形状のものを付加したりして形成されるものである。３１は第１および第２のアンテナ素子１・２を実装するプリント回路基板である。
【００２１】
次に、図４は本発明の第２のダイバーシティアンテナの電界モードを説明する図である。実線の矢印は第１の周波帯の電界モード、破線の矢印は第２の周波帯の電界モードを表し、矢印の方向はそれぞれのモードの電界の方向を示す。またΔは縮退分離素子ｓの切り欠きの深さを示す。
【００２２】
図２のように構成された本発明の第２のダイバーシティアンテナによれば、第１および第２の放射導体１２・２２を、対向する２つの角を切り欠く縮退分離素子ｓを有するマイクロストリップ型の構造としているので、縮退分離素子ｓによって互いに直交する第１の周波帯の電界モード（図４に実線の矢印で示す）と第２の周波帯の電界モード（図４に破線の矢印で示す）が生じる。縮退分離素子ｓの大きさを調整することで第１の周波帯と第２の周波帯の励振周波数が調整され、第１の周波帯と第２の周波帯の励振周波数の差を大きくすることによって広帯域な周波数特性を得ることができる。たとえば、縮退分離素子ｓの大きさを大きく、すなわち、切り欠きの深さΔを大きくすると、第２の周波帯の周波数が高くなり、その結果、本発明の第１のダイバーシティアンテナと同様に第１の周波帯と第２の周波帯が合成されて形成される帯域の幅が増し、広帯域特性を得ることができる。
【００２３】
すなわち、放射導体がマイクロストリップ型のアンテナにおける、従来の一般的に知られている広帯域化の手法としての誘電体の厚みを厚くするといった方法に対して、誘電体の厚みを厚くすることなく広帯域なアンテナを提供することができ、低背化にも対応することができるものとなる。
【００２４】
また、このように構成された本発明の第２のダイバーシティアンテナによれば、第２のアンテナ素子２を、第１のアンテナ素子１と同形状で、第１のアンテナ素子１を平行面または同一平面内で９０°回転させた向きに配しているので、第１の周波帯においては第１および第２のアンテナ素子１・２それぞれに生じる電界モード（図６に実線の矢印で示す）が互いに直交し、第２の周波帯においても第１および第２のアンテナ素子１・２それぞれに生じる電界モード（図６に破線の矢印で示す）が互いに直交する。すなわち、第１の周波帯・第２の周波帯の各周波帯において、電界モード、言い換えると偏波面が各アンテナ素子で直交するので、第１の周波帯および第２の周波帯の双方において偏波面によらず電波を放射または受信することができる。
【００２５】
また、第１の周波帯の偏波面と第２の周波帯の偏波面の間における偏波に対しては、放射または受信される電波の偏波面は第１および第２の周波帯における電界モードの重ね合わせによって生成されるものとなり、第１の周波帯の偏波面と第２の周波帯の偏波面の間における偏波に対しても、偏波面によらず電波を放射または受信することができる。
【００２６】
従って、第１の周波帯と第２の周波帯とが合成されて形成される周波帯における偏波面の偏りを防ぐことができ、この合成されて形成される周波帯で第１の周波帯と第２の周波帯のおのおのの偏波面の間にあるあらゆる偏波面を有する電波を送受信することができる。
【００２７】
本発明のダイバーシティアンテナを形成するに当たり、第１および第２の誘電体１１・２１、第１および第２の放射導体１２・２２には、周知の高周波用配線基板に使用される種々の材料・形態のものと同様のものを使用することができる。
【００２８】
第１および第２の誘電体１１・２１としては、例えばアルミナセラミックス・ムライトセラミックス等のセラミック材料やガラスセラミックス等の無機系材料、あるいは四フッ化エチレン−エチレン樹脂（ポリテトラフルオロエチレン；ＰＴＦＥ）・四フッ化エチレン−エチレン共重合樹脂（テトラフルオロエチレン−エチレン共重合樹脂；ＥＴＦＥ）・四フッ化エチレン−パーフルオロアルコキシエチレン共重合樹脂（テトラフルオロエチレン−パーフルオロアルキルビニルエーテル共重合樹脂；ＰＦＡ）等のフッ素樹脂やガラスエポキシ樹脂・ポリイミド等の樹脂系材料等が用いられる。これらの材料による第１および第２の誘電体１１・２１の形状や寸法（厚みや幅・長さ）は、使用される周波数や用途等に応じて設定される。
【００２９】
第１および第２の放射導体１２・２２は、高周波信号伝送用の金属材料の導体層、例えばＣｕ層・Ｍｏ−Ｍｎのメタライズ層上にＮｉメッキ層およびＡｕメッキ層を被着させたもの・Ｗのメタライズ層上にＮｉメッキ層およびＡｕメッキ層を被着させたもの・Ｃｒ−Ｃｕ合金層・Ｃｒ−Ｃｕ合金層上にＮｉメッキ層およびＡｕメッキ層を被着させたもの・Ｔａ２Ｎ層上にＮｉ−Ｃｒ合金層およびＡｕメッキ層を被着させたもの・Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅等も、伝送される高周波信号の周波数や用途等に応じて設定される。
【００３０】
本発明のダイバーシティアンテナの作製方法としては、例えば第１および第２の誘電体１１・２１がガラスセラミックスから成る場合であれば、まず第１および第２の誘電体１１・２１となるガラスセラミックスのグリーンシートを準備し、これに所定の打ち抜き加工を施して貫通導体が配設される貫通孔を形成した後、スクリーン印刷法によりＣｕ等の導体ペーストを貫通孔に充填するとともに、第１および第２の放射導体１２・２２となる導体層のパターンおよび必要に応じてその他の所定の伝送線路パターンを印刷塗布する。次に、８５０〜１０００℃で焼成を行ない、最後に各導体層の表面にＮｉメッキおよびＡｕメッキを施す。
【００３１】
図３は図２に示す本発明の第２のダイバーシティアンテナの実施の形態についての、一方のアンテナ素子における反射特性を示す線図である。図３において、横軸は周波数（単位：ＧＨｚ）、縦軸はＶＳＷＲであり、特性曲線は反射特性、すなわちＶＳＷＲの周波数特性を示している。この線図に示す反射特性は、電磁界シミュレーションを用いて得たものである。この結果より、ＶＳＷＲが２以下の帯域幅は２１７ＭＨｚであることがわかる。なお、図３に示す反射特性を得た本発明の第２のダイバーシティアンテナのアンテナ素子においては、誘電体１１の厚み：Ｈを１．５ｍｍとした。
【００３２】
これに対し、従来のダイバーシティアンテナでこのような広帯域を達成するのは困難であった。
【００３３】
図９は図８に示す従来のダイバーシティアンテナの実施の形態の一例についての、一方のアンテナ素子における反射特性を示す線図である。図９においても、横軸は周波数（単位：ＧＨｚ）、縦軸はＶＳＷＲであり、特性曲線は反射特性、すなわちＶＳＷＲの周波数特性を示している。この線図に示す反射特性は、図３に示した結果を得るのに使用したものと同一の電磁界シミュレーションを用いて得たものである。この結果より、ＶＳＷＲが２以下の帯域幅は７４ＭＨｚであることが分かる。なお、図９に示す反射特性を得た従来のダイバーシティアンテナのアンテナ素子においては、誘電体１１１の厚み：Ｈを１．５ｍｍとし、誘電体材料および放射導体の材料は、上記本発明の第２のダイバーシティアンテナと同一である。
【００３４】
以上より、ＶＳＷＲが２以下の周波数帯域幅に関しては、図３の結果を得た本発明の第２のダイバーシティアンテナでは２１７ＭＨｚであるのに対して、図９の結果を得るのに用いた従来のダイバーシティアンテナでは７４ＭＨｚであり、本発明の第２のダイバーシティアンテナの方が広帯域であることが分かる。また、誘電体の厚みに関しては、図３の結果を得た本発明の第２のダイバーシティアンテナでは１．５ｍｍであるのに対して、図９の結果を得るのに用いた従来のダイバーシティアンテナも１．５ｍｍであり、本発明の第２のダイバーシティアンテナと従来のダイバーシティアンテナは同じ厚みである。すなわち、図２に示す本発明の第２のダイバーシティアンテナによれば、厚みを厚くすることなく広帯域なアンテナを提供することができ、従って、アンテナの低背化にも対応できるものであることが分かる。
【００３５】
図５は図２に示す本発明の第２のダイバーシティアンテナの実施の形態についての、一方のアンテナ素子における放射特性を示す線図である。図５において、横軸は周波数（単位：ＧＨｚ）、縦軸は正面方向、すなわち図２に示すＺ方向の利得（単位：ｄＢｉ）であり、曲線は放射特性、すなわち正面方向利得の周波数特性を示すものである。
【００３６】
図５は、図４に示す単独のアンテナ素子についてφ＝４５°およびφ＝−４５°の偏波面における正面方向利得とを示すものである。この線図に示す放射特性は、図３に示す反射特性を得るのに用いた電磁界シミュレーションと同一のものを用いて得たものである。この結果より、第１の周波帯、すなわち低周波数側においてはφ＝４５°の偏波面における正面方向利得のみが高利得であり、一方第２の周波帯、すなわち高周波数側においてはφ＝−４５°の偏波面における正面方向利得のみが高利得であるといったように各周波帯において利得の高い偏波面に偏りがある。すなわち各周波帯において偏波面に偏りが生じている。
【００３７】
一方、図７は図２に示す本発明の第２のダイバーシティアンテナの実施の形態についての、第１および第２のアンテナ素子１・２双方を足し合わせた放射特性、すなわちダイバーシティアンテナとして動作させた場合の放射特性を示す線図である。図７においても、横軸は周波数（単位：ＧＨｚ）、縦軸は正面方向、すなわち図２に示すＺ方向の利得（単位：ｄＢｉ）である。特性曲線は放射特性、すなわち正面方向利得の周波数特性であり、図５の場合と同様にφ＝４５°およびφ＝−４５°の偏波面における正面方向利得とを前述と同一の電磁界シミュレーションを用いて得たものである。また、アンテナ素子の形状および材料は図５に示す放射特性を得るのに用いたものと同一である。
【００３８】
この結果より、本発明の第２のダイバーシティアンテナにおいては、図５のアンテナ素子が１素子の場合に見られた各周波帯における偏波面の偏りが生じていないことが分かる。したがって各周波帯で第１の周波帯と第２の周波帯のおのおのの偏波面の間にあるあらゆる偏波面を有する電波を送受信することができる。
【００３９】
なお、本発明は以上の実施の形態の例に限定されるものではなく、本発明の要旨を逸脱しない範囲で種々の変更が可能である。例えば、各アンテナ素子に放射導体を複数個配してもよく、そのような構成にすると、各放射導体で共振を起こさせて、多周波共用特性を得ることができる。
【００４０】
【発明の効果】
本発明の第１のダイバーシティアンテナによれば、第１の周波帯の偏波面と第２の周波帯の偏波面とが直交しており、第１の周波帯の高域側と第２の周波帯の低域側とが重なっているアンテナ素子を２つ、その第１の周波帯の偏波面同士および第２の周波帯の偏波面同士を直交させて、所定の間隔を隔てて配置したことから、第１の周波帯と第２の周波帯を有するアンテナ素子を用いるので、第１の周波帯と第２の周波帯の周波数間隔を調整することで、広帯域な周波数特性を得ることができる。
【００４１】
また、本発明の第１のダイバーシティアンテナによれば、２つのアンテナ素子を、第１の周波帯の偏波面同士および第２の周波帯の偏波面同士を直交させて配置したことにより、各周波帯における偏波面の偏りを防ぐことができ、この合成されて形成される周波帯における第１の周波帯と第２の周波帯のおのおのの偏波面の間にあるあらゆる偏波面を有する電波を送受信することができる。
【００４２】
本発明の第２のダイバーシティアンテナによれば、誘電体から成る基体の上面に配された、縮退分離素子を有するマイクロストリップ型の第１の放射導体より構成される第１のアンテナ素子と、この第１の放射導体と略同一形状の第２の放射導体を平面内で９０°回転させ、第１のアンテナ素子と所定の間隔を隔てて配された第２のアンテナ素子とを具備することから、第１および第２の放射導体を、縮退分離素子を有するマイクロストリップ型の構造としているので、縮退分離素子によって互いに直交する、第１の周波帯と第２の周波帯の電界モードが生じ、その縮退分離素子の大きさを調整することで第１の周波帯と第２の周波帯の周波数間隔が調整されることから、広帯域な周波数特性のアンテナを得ることができる。すなわち、放射導体がマイクロストリップ型のアンテナにおける、従来の一般的に知られている広帯域化の手法としての誘電体の厚みを厚くするといった方法に対して、誘電体の厚みを厚くすることなく広帯域なアンテナを提供することができ、低背化にも対応することができるものとなる。
【００４３】
また、本発明の第２のダイバーシティアンテナによれば、第２の放射導体を、第１の放射導体と略同一形状で、第１の放射導体と平面内で９０°回転させた向きに配しているので、各周波帯における偏波面が第１および第２のアンテナ素子で直交し、各周波帯における偏波面の偏りを防ぐことができ、結果として第１の周波帯と第２の周波帯が合成されて形成される周波帯で第１の周波帯と第２の周波帯のおのおのの偏波面の間にあるあらゆる偏波面を有する電波を送受信することができる。
【００４４】
以上により、本発明によれば、低背で広帯域なダイバーシティアンテナを提供することができた。
【図面の簡単な説明】
【図１】本発明の第１のダイバーシティアンテナの実施の形態の一例を示す斜視図である。
【図２】本発明の第２のダイバーシティアンテナの実施の形態の一例を示す斜視図である。
【図３】本発明の第２のダイバーシティアンテナの反射特性を示す特性曲線図である。
【図４】本発明の第２のダイバーシティアンテナの実施の形態の一例の一方のアンテナ素子の電界モードを説明する平面図である。
【図５】本発明の第２のダイバーシティアンテナの実施の形態の一例の一方のアンテナ素子の放射特性を示す特性曲線図である。
【図６】本発明の第２のダイバーシティアンテナの実施の形態の一例の電界モードを説明する平面図である。
【図７】本発明の第２のダイバーシティアンテナの実施の形態の一例の放射特性を示す特性曲線図である。
【図８】従来のダイバーシティアンテナの例を示す斜視図である。
【図９】従来のダイバーシティアンテナの例の反射特性を示す特性曲線図である。
【符号の説明】
１・・・第１のアンテナ素子
２・・・第２のアンテナ素子
１１・・・第１の誘電体
２１・・・第２の誘電体
１２・・・第１の放射導体
２２・・・第２の放射導体
ｓ・・・縮退分離素子
１２Ｌ，２２Ｌ・・・第１の周波帯の放射に寄与する部分
１２Ｈ，２２Ｈ・・・第２の周波帯の放射に寄与する部分
１４Ｈ，１４Ｌ・・・給電電極
２４Ｈ，２４Ｌ・・・給電電極
１５，２５・・・接地電極
３１・・・プリント回路基板
【図１】
2004180034.tif 000003
【図２】
2004180034.tif 000004
【図３】
2004180034.tif 000005
【図４】
2004180034.tif 000006
【図５】
2004180034.tif 000007
【図６】
2004180034.tif 000008
【図７】
2004180034.tif 000009
【図８】
2004180034.tif 000010
【図９】
2004180034.tif 000011